(57)【要約】【課題】  本発明は、ズボン、スカート等のウエストサイズの調節を可能とする調節金具において、利用者の好みに合わせて従来からあるリング部を備えたボタン部を交換可能とし、デザインのバリエーションを拡げることができる調節金具及び調節金具を用いた衣服を提供する。【解決手段】ズボン、スカート等のウエスト部に取付けられ、ウエストサイズの調節を可能とする調節金具において、両端面部に取付部を具備し、上面部に長孔を具備した本体ケースと、本体ケースの底部に嵌合される略長方形のベースの内側に、金属板を折曲することにより形成される可動金具のバネ持設部にバネが取付けられて成る構成が収納されており、可動金具の上面部に上に凸になるよう、開口部を有して略Ｕ字状に折曲され設けられたボタン掛止部が、長孔より突出され、ボタン掛止部の開口部よりボタンを取付けてなることを特徴とする調節金具。【選択図】  図２
2008038272.tif 000002
【特許請求の範囲】
【請求項１】
ズボン、スカート等のウエスト部に取付けられ、上生地に設けられた上生地部ボタン穴にボタンを掛け外し可能に掛止して、上生地と下生地を留め合わせるよう下生地に設けられるウエストサイズの調節を可能とする調節金具において、
本体ケースと可動金具とバネ及びベースから構成されるケース状の調節金具は、
両端面部に取付部を具備し、上面部に長孔を具備した前記本体ケースと、
前記本体ケースの底部に嵌合される略長方形の前記ベースの内側に、
金属板を折曲することにより形成される前記可動金具のバネ持設部に前記バネが取付けられて成る構成が収納されており、
前記可動金具の上面部に上に凸になるよう、開口部を有して略Ｕ字状に折曲され設けられたボタン掛止部が、前記長孔より突出され、前記ボタン掛止部の前記開口部よりボタンを取付けてなることを特徴とする調節金具。
【請求項２】
前記本体ケースの両端部に設けられた前記取付部を取付手段により、取付部材を介して固着させたことを特徴とする請求項１記載の調節金具。
【請求項３】
ズボン、スカート等のウエスト部に取付けられ、上生地に設けられた上生地部ボタン穴にボタンを掛け外し可能に掛止して、上生地と下生地を留め合わせるよう下生地に設けられるウエストサイズの調節を可能とする調節金具を具備した衣服において、
請求項１又は請求項２に記載の調節金具を、取付手段により下生地に取付けたことを特徴とする衣服。
【請求項４】
ズボン、スカート等のウエスト部に取付けられ、上生地に設けられた上生地部ボタン穴にボタンを掛け外し可能に掛止して、上生地と下生地を留め合わせるよう下生地に設けられるウエストサイズの調節を可能とする調節金具において、
下部カバーとバネ及び上部カバーから構成される調節金具は、
金属板を折曲することにより形成され、底部の両端部に取付部を具備し、前記底部の長手方向の両端部より上方へ折曲された後に、前記底部の長手方向の外側へ折曲され形成される側部を有し、前記底部の一端部よりの中央部にバネ持設部が一端部を基部として折曲して有し、前記側部には、前記バネ持設部の基部を有する前記底部の一端部とは異なる端部側にのみ設けられる前記側部を下方へ折曲させてなる抜止部を有してなる前記下部カバーと、
前記下部カバーに設けられた前記バネ持設部に嵌設させる前記バネと、
金属板を折曲することにより形成され、上に凸になるよう、開口部を有して略Ｕ字形状に折曲されたボタン掛止部を上面部に有し、前記上面部の短手方向の中心部より下方に折曲されてなる端面部を有し、前記上面部の長手方向の下方に折曲されてなる側面部を有する前記上部カバーとからなり、
前記バネを前記バネ持設部に嵌設させた状態で、前記上部カバーの前記側面部を前記上部カバーの内側へ折曲させ、前記上部カバーの底部を形成させ、前記下部カバーの前記側部を覆設させてなり、
前記上部カバーにおける前記ボタン掛止部の前記開口部よりボタンを取付けてなることを特徴とする調節金具。
【請求項５】
ズボン、スカート等のウエスト部に取付けられ、上生地に設けられた上生地部ボタン穴にボタンを掛け外し可能に掛止して、上生地と下生地を留め合わせるよう下生地に設けられるウエストサイズの調節を可能とする調節金具を具備した衣服において、
請求項４に記載の調節金具を、取付手段により下生地に取付けたことを特徴とする衣服。
【発明の詳細な説明】
【技術分野】
【０００１】
本発明は、ズボン、スカート等のウエストサイズの調節を可能とする調節金具及び調節金具を用いた衣服に関するものである。
【背景技術】
【０００２】
従来から、ズボン或いはスカート等の衣服のウエストサイズを調整可能とする構成が知られている。（例えば、特許文献１参照）
【０００３】
特許文献１の発明には、ボタン部をスライド移動させて例えば厚手の生地で成型されたズボンやスカートのウエストサイズを調整できるとともに、衣料への配設が容易となる掛止具、この掛止具を備えた衣料、および、この掛止具の配設方法が開示されている。
また、スライド手段は、ボタン首部の端部が取り付けられるとともにベース部の収納空間内でスライド移動可能なスライダ部を備え、ベース部は、ボタン部が取り付けられた状態のスライダ部を収納空間に出し入れ可能として、スライダ部とともにボタン部を交換することができ、利用者の好みに合わせてボタン部のデザインを替えることができることが開示されている。
また、ボタン部とスライダ部とは別体であっても、一体であってもよいことが開示されている。
更には、ボタン頭部とボタン首部とは一体であってもよく、別体であってもよいことも開示されている。
【特許文献１】特開２００５−２７３０２１号公報
【発明の開示】
【発明が解決しようとする課題】
【０００４】
特許文献１のような構成では、スライダ部とともにボタン部を交換することができ、利用者の好みに合わせてボタン部のデザインを替えることができるが、種々の異なるボタン部とスライダ部を組み合わせたユニットを用意しておかなければ、ボタン部を交換することができない構成であり、従来からあるリング部を備えたボタンを実際には利用者の好みに合わせてボタン部のみの交換ができないおそれがある。
また、ボタン部とスライダ部とは別体である場合、スライダ部と組み合わせることができるボタン部でなければ、実際には利用者の好みに合わせてボタン部のみの交換ができないおそれがある。
また、ボタン頭部とボタン首部とは別体であっても、取付筒部を介してボタン頭部とボタン首部を嵌挿することになり、返って部品点数も増えることになり、更には利用者の好みに合わせて従来からあるリング部を備えたボタン部のみの交換ができないおそれがある。
よって、いずれにおいても、特許文献１のような構成では、利用者の好みに合わせて従来からあるリング部を備えたボタン部のみの交換ができないおそれがある。
【０００５】
そこで、本発明はこのような問題点を解決するものであって、ズボン、スカート等のウエストサイズの調節を可能とする調節金具において、利用者の好みに合わせて従来からあるリング部を備えたボタン部を交換可能とし、ズボン、スカート等のデザインのバリエーションを拡げることができる調節金具及び調節金具を用いた衣服を提供することを課題とする。
【課題を解決するための手段】
【０００６】
前記問題点を解決するために、本発明の請求項１に記載の発明の調節金具は、ズボン、スカート等のウエスト部に取付けられ、上生地に設けられた上生地部ボタン穴にボタンを掛け外し可能に掛止して、上生地と下生地を留め合わせるよう下生地に設けられるウエストサイズの調節を可能とする調節金具において、本体ケースと可動金具とバネ及びベースから構成されるケース状の調節金具は、両端面部に取付部を具備し、上面部に長孔を具備した前記本体ケースと、前記本体ケースの底部に嵌合される略長方形の前記ベースの内側に、金属板を折曲することにより形成される前記可動金具のバネ持設部に前記バネが取付けられて成る構成が収納されており、前記可動金具の上面部に上に凸になるよう、開口部を有して略Ｕ字状に折曲され設けられたボタン掛止部が、前記長孔より突出され、前記ボタン掛止部の前記開口部よりボタンを取付けてなることを特徴とするものである。
【０００７】
また、本発明の請求項２に記載の発明の調節金具は、請求項１記載の調節金具において、前記本体ケースの両端部に設けられた前記取付部を取付手段により、取付部材を介して固着させたことを特徴とするものである。
【０００８】
また、本発明の請求項３に記載の発明は、ズボン、スカート等のウエスト部に取付けられ、上生地に設けられた上生地部ボタン穴にボタンを掛け外し可能に掛止して、上生地と下生地を留め合わせるよう下生地に設けられるウエストサイズの調節を可能とする調節金具を具備した衣服において、請求項１又は請求項２に記載の調節金具を、取付手段により下生地に取付けたことを特徴とするものである。
【０００９】
また、本発明の請求項４に記載の発明の調節金具は、ズボン、スカート等のウエスト部に取付けられ、上生地に設けられた上生地部ボタン穴にボタンを掛け外し可能に掛止して、上生地と下生地を留め合わせるよう下生地に設けられるウエストサイズの調節を可能とする調節金具において、下部カバーとバネ及び上部カバーから構成される調節金具は、金属板を折曲することにより形成され、底部の両端部に取付部を具備し、前記底部の長手方向の両端部より上方へ折曲された後に、前記底部の長手方向の外側へ折曲され形成される側部を有し、前記底部の一端部よりの中央部にバネ持設部が一端部を基部として折曲して有し、前記側部には、前記バネ持設部の基部を有する前記底部の一端部とは異なる端部側にのみ設けられる前記側部を下方へ折曲させてなる抜止部を有してなる前記下部カバーと、前記下部カバーに設けられた前記バネ持設部に嵌設させる前記バネと、金属板を折曲することにより形成され、上に凸になるよう、開口部を有して略Ｕ字形状に折曲されたボタン掛止部を上面部に有し、前記上面部の短手方向の中心部より下方に折曲されてなる端面部を有し、前記上面部の長手方向の下方に折曲されてなる側面部を有する前記上部カバーとからなり、前記バネを前記バネ持設部に嵌設させた状態で、前記上部カバーの前記側面部を前記上部カバーの内側へ折曲させ、前記上部カバーの底部を形成させ、前記下部カバーの前記側部を覆設させてなり、前記上部カバーにおける前記ボタン掛止部の前記開口部よりボタンを取付けてなることを特徴とするものである。
【００１０】
また、本発明の請求項５に記載の発明は、ズボン、スカート等のウエスト部に取付けられ、上生地に設けられた上生地部ボタン穴にボタンを掛け外し可能に掛止して、上生地と下生地を留め合わせるよう下生地に設けられるウエストサイズの調節を可能とする調節金具を具備した衣服において、請求項４に記載の調節金具を、取付手段により下生地に取付けたことを特徴とするものである。
（作用）
【００１１】
請求項１記載の調節金具に係る発明では、ズボン、スカート等のウエスト部に取付けられ、上生地に設けられた上生地部ボタン穴にボタンを掛け外し可能に掛止して、上生地と下生地を留め合わせるよう下生地に設けられるウエストサイズの調節を可能とする調節金具において、前記可動金具の上面部に上に凸になるよう、開口部を有して略Ｕ字状に折曲され設けられたボタン掛止部を有する為、従来からあるリング部を備えたボタンのみの交換を行うことができる。
【００１２】
請求項２記載の調節金具に係る発明では、ズボン、スカート等のウエスト部に取付けられ、上生地に設けられた上生地部ボタン穴にボタンを掛け外し可能に掛止して、上生地と下生地を留め合わせるよう下生地に設けられるウエストサイズの調節を可能とする調節金具において、前記可動金具の上面部に上に凸になるよう、開口部を有して略Ｕ字状に折曲され設けられたボタン掛止部を有する為、従来からあるリング部を備えたボタンのみの交換を行うことができる。また、前記調節金具は取付部材に固着されており、これにより衣服への取り付け操作が容易に行えるようになる。
【００１３】
請求項３記載の衣服に係る発明では、ズボン、スカート等のウエスト部に取付けられ、上生地に設けられた上生地部ボタン穴にボタンを掛け外し可能に掛止して、上生地と下生地を留め合わせるよう下生地に設けられるウエストサイズの調節を可能とする調節金具を具備した衣服において、前記可動金具の上面部に上に凸になるよう、開口部を有して略Ｕ字状に折曲され設けられたボタン掛止部を有する為、従来からあるリング部を備えたボタンのみの交換を行うことができる。
【００１４】
請求項４記載の調節金具に係る発明では、ズボン、スカート等のウエスト部に取付けられ、上生地に設けられた上生地部ボタン穴にボタンを掛け外し可能に掛止して、上生地と下生地を留め合わせるよう下生地に設けられるウエストサイズの調節を可能とする調節金具において、前記上部カバーの上面部に上に凸になるよう、開口部を有して略Ｕ字状に折曲され設けられたボタン掛止部を有する為、従来からあるリング部を備えたボタンのみの交換を行うことができる。
【００１５】
請求項５記載の衣服に係る発明では、ズボン、スカート等のウエスト部に取付けられ、上生地に設けられた上生地部ボタン穴にボタンを掛け外し可能に掛止して、上生地と下生地を留め合わせるよう下生地に設けられるウエストサイズの調節を可能とする調節金具を具備した衣服において、前記上部カバーの上面部に上に凸になるよう、開口部を有して略Ｕ字状に折曲され設けられたボタン掛止部を有する為、従来からあるリング部を備えたボタンのみの交換を行うことができる。
【発明の効果】
【００１６】
請求項１の発明によれば、ズボン、スカート等のウエスト部に取付けられ、上生地に設けられた上生地部ボタン穴にボタンを掛け外し可能に掛止して、上生地と下生地を留め合わせるよう下生地に設けられるウエストサイズの調節を可能とする調節金具において、前記可動金具の上面部に上に凸になるよう、開口部を有して略Ｕ字状に折曲され設けられたボタン掛止部を有する為、従来からあるリング部を備えたボタンのみの交換を行うことができる。これにより、前記調節金具を用いた衣服において、利用者の好みに合わせてボタン部を交換可能とし、ズボン、スカート等のデザインのバリエーションを拡げることができる。
【００１７】
請求項２の発明によれば、ズボン、スカート等のウエスト部に取付けられ、上生地に設けられた上生地部ボタン穴にボタンを掛け外し可能に掛止して、上生地と下生地を留め合わせるよう下生地に設けられるウエストサイズの調節を可能とする調節金具において、前記可動金具の上面部に上に凸になるよう、開口部を有して略Ｕ字状に折曲され設けられたボタン掛止部を有する為、従来からあるリング部を備えたボタンのみの交換を行うことができる。これにより、前記調節金具を用いた衣服において、利用者の好みに合わせてボタン部を交換可能とし、ズボン、スカート等のデザインのバリエーションを拡げることができる。
また、取付部材を有していることから、衣服への取り付け操作が容易に行えるようになるとともに、前記取付部材はズボンのウエスト部に沿わすことができる。
【００１８】
請求項３の発明によれば、ズボン、スカート等のウエスト部に取付けられ、上生地に設けられた上生地部ボタン穴にボタンを掛け外し可能に掛止して、上生地と下生地を留め合わせるよう下生地に設けられるウエストサイズの調節を可能とする調節金具を用いた衣服において、前記可動金具の上面部に上に凸になるよう、開口部を有して略Ｕ字状に折曲され設けられたボタン掛止部を有する為、従来からあるリング部を備えたボタンのみの交換を行うことができる。これにより、利用者の好みに合わせてボタン部を交換可能とし、ズボン、スカート等のデザインのバリエーションを拡げることができる。また、ボタンは前記ボタン掛止部に可動自在に取付けられており、通常市販品のボタンを掛けるように、容易に嵌めることができるようになる。
また、取付部材を有していることから、衣服への取り付け操作が容易に行えるようになるとともに、前記取付部材はズボンのウエスト部に沿わすことができるようにしたものである為、ズボン等の着用時の着装感は損なわれることはない。
【００１９】
請求項４の発明によれば、ズボン、スカート等のウエスト部に取付けられ、上生地に設けられた上生地部ボタン穴にボタンを掛け外し可能に掛止して、上生地と下生地を留め合わせるよう下生地に設けられるウエストサイズの調節を可能とする調節金具において、前記上部カバーの上面部に上に凸になるよう、開口部を有して略Ｕ字状に折曲され設けられたボタン掛止部を有する為、従来からあるリング部を備えたボタンのみの交換を行うことができる。これにより、前記調節金具を用いた衣服において、利用者の好みに合わせてボタン部を交換可能とし、ズボン、スカート等のデザインのバリエーションを拡げることができる。
【００２０】
請求項５の発明によれば、ズボン、スカート等のウエスト部に取付けられ、上生地に設けられた上生地部ボタン穴にボタンを掛け外し可能に掛止して、上生地と下生地を留め合わせるよう下生地に設けられるウエストサイズの調節を可能とする調節金具を用いた衣服において、前記上部カバーの上面部に上に凸になるよう、開口部を有して略Ｕ字状に折曲され設けられたボタン掛止部を有する為、従来からあるリング部を備えたボタンのみの交換を行うことができる。これにより、利用者の好みに合わせてボタン部を交換可能とし、ズボン、スカート等のデザインのバリエーションを拡げることができる。
また、ボタンは前記ボタン掛止部に可動自在に取付けられており、通常市販品のボタンを掛けるように、容易に嵌めることができるようになる。
【発明を実施するための最良の形態】
【００２１】
以下、本発明の実施の形態における調節金具を図面に基づいて説明する。
【実施例１】
【００２２】
本発明の調節金具７の実施例１における調節金具７ａについて図１乃至図９に基づいて説明する。図２、図３（ａ）及び（ｂ）に示すように、本体ケース２は、所定の板厚の金属板を折曲することにより形成され、上面部２ａ、側面部２ｂ及び端面部２ｃから成るケース状のものである。前記上面部２ａは中央部から前記端面部２ｃにかけて下方に緩やかな曲面を有するもので、中央部より前記端面部２ｃの一端面よりに所定の幅と長さを有する長孔２ｄが設けられている。また前記側面部２ｂは、側面底部２ｅと略台形の側面脚部２ｇを設けるよう切欠部２ｆ及び切欠部２ｈにより切欠されている。また、前記端面部２ｃには、端面底部２ｋから所定寸法だけ上方位置の中央部に端面直線部２ｉが設けられ、前記端面底部２ｋの端部及び前記端面直線部２ｉより、垂直下方へ向けて先端部が針状になるよう端面脚部２ｊが夫々２箇所設けられている。前記端面脚部２ｊ間の隙間は、前記端面脚部２ｊの中央部が最も狭くなるよう形成されており、前記端面直線部２ｉと前記端面脚部２ｊの交点の角部には、ベース５の脚部嵌合部５ａが嵌合する為の、溝部２ｌが設けられている。
【００２３】
可動金具３は、所定の板厚の金属板を折曲することにより形成され、ボタン掛止部３ａ、バネ持設部３ｂ、可動金具側面部３ｃ、可動金具上面部３ｄ及び可動金具端面部３ｅから成る。前記ボタン掛止部３ａは、後に取付けられるボタン６のリング部６ａが外れない程度に上に凸になるよう、開口部３ｇを有して略Ｕ字状に折曲されていればよく、円弧状とすることもできるし、逆Ｖ字形状とすることもできる。また、その幅は前記長孔２ｄの短手方向より小さければよい。また、前記バネ持設部３ｂは前記可動金具上面部３ｄより所定の段差を設けた後に折曲されている。このとき、前記可動金具側面部３ｃの底面との段差は、後に取付けられるバネ４の線形より大きく設けてあれば、前記バネ４を取付けることができる。
【００２４】
バネ４は、所定の線形でバネ幅４ａ、バネ長４ｂ及びバネ高４ｃから成り、外形が略直方体になるよう形成されている。
【００２５】
ベース５は、所定の板厚の長方形の金属板に脚部嵌合部５ａ、底部嵌合部５ｂ、切欠嵌合部５ｃ及び側面脚部嵌合部５ｄを設け、前記ベース５の中央部に一端面から他端面に向けてリブ５ｅが凸設するよう形成されたもので、前記本体ケース２の前記上面部２ａと同様にして中央部から両端部にかけて下方に緩やかな曲面を有するものである。
【００２６】
次に、実施例１における調節金具７ａの組立方法の一例について説明する。
まず、前記可動金具３の前記バネ持設部３ｂを前記バネ４の一端部のバネ幅４ａの内形に嵌設させる。この状態で、前記可動金具３の前記ボタン掛止部３ａの上方に前記本体ケース２の前記長孔２ｄが位置するよう、前記本体ケースを配置した後、前記可動金具３及び前記バネ４を前記本体ケース２の下側より挿設させる。このとき同時に、前記可動金具３のボタン掛止部３ａは前記本体ケース２の長孔２ｄより突出されることになる。また、挿設時に前記可動金具３と前記バネ４の全体寸法が前記本体ケース２の長手寸法よりも大きい場合には、前記バネ４の嵌設されていない端部より前記バネ４を押縮させることで、前記本体ケース２に挿設可能となる。
次に、前記ベース５を前記本体ケース２の下側から嵌合させる。このとき、前記本体ケース２の前記端面直線部２ｉに前記ベース５の前記脚部嵌合部５ａ、前記切欠部２ｆに前記切欠嵌合部５ｃ、前記側面脚部２ｇの外側に前記側面脚部嵌合部５ｄが夫々嵌合され、前記端面脚部２ｊ間の中央部の隙間は、前記脚部嵌合部５ａの外形より僅かに小さく形成されており、前記端面直線部２ｉと前記端面脚部２ｊの交点の角部の前記溝部２ｌに挿設される。また、前記切欠部２ｆは前記切欠嵌合部５ｃの外形より僅かに大きく形成されることで、前記ベース５は前記本体ケース２に嵌合されるようになる。
【００２７】
次に、図４及び図５に示すように、前記実施例１における調節金具７ａは所定の樹脂板８に取付けられた後、ズボン等へと取付けられる。以下、図８を参照にしてズボンへの取付けについて簡便に説明する。
図４に示す前記ボタン６、前記実施例１における調節金具７ａ及び前記樹脂板８において、前記本体ケースに設けられた先端部が針状の前記端面脚部２ｊを前記樹脂板８の所定箇所に刺衝するか又は前記樹脂板８の所定箇所に設けられた孔（図示しない）に嵌め込むことによって、前記樹脂板８に嵌め込んだ後に、前記端面脚部２ｊの根元より、それぞれ前記本体ケース２の長手方向に対して本体ケース２内側に折曲させることで、前記樹脂板８に取付けられる。このとき、図５に示すように、前記ボタン６のリング部６ａを前記実施例１における調整金具７ａの前記ボタン掛止部３ａの前記開口部３ｇより取付けることもできる。
また、前記樹脂板８は前記実施例１における調節金具７ａを前記ズボン１への取付けを容易にするために設けられており、前記ズボン１の着用時における着装感を損なわないよう、前記ズボン１の前記ウエスト部１ａに沿わすことができるようにする為のもので、薄く軟質製のものが好ましい。また、前記樹脂板８に限らず、合板、金属板、厚手の生地及び堅い生地等も使用することができる。
このようにして、前記ボタン６、前記実施例１における調節金具７ａ及び前記樹脂板８から構成される樹脂板付調節金具９が前記ズボン１へ取付けられる際は、図８（ａ）に示すように前記ズボン１の下生地１ｃの表地１ｆに前記樹脂板付調節金具９を合わせ、図８（ｂ）に示すように、下生地ボタン穴１ｅから前記ボタン６を突出させた後、前記ズボン１の前記表地１ｆに裏地１ｇを逢着させる際に、前記樹脂板付調節金具９に設けられた前記樹脂板８の縁側も同時に縫着させることで、前記樹脂板付調節金具９は前記ズボン１に取付けられる。これにより、前記樹脂板付調節金具９は縁側が縫着されているので前記ズボン１の前記下生地１ｃ内において、前後左右へとずれることはない。
【００２８】
本実施例によれば、図１に示すように、前記樹脂板付調節金具９が取付けられた前記ズボン１は、利用者（着衣者）が着衣して、前記ボタン６を前記上生地１ｂの前記上生地部ボタン穴１ｄに掛ける。このとき、前記ボタン６は、前記バネ４の付勢力によって前記樹脂板付調節金具９の他端側、すなわち、ウエスト引き締め方向に付勢されている。これにより、利用者の体型あるいは腹圧にあわせて前記ズボン１のウエストサイズが利用者のウエストサイズに適合するサイズとなる。
一方、利用者が起立姿勢から着座姿勢に移ったり、食事により空腹から満腹になったりすると、利用者のウエストサイズが増大する。このとき、前記ズボン１のウエストサイズを増大させる方向、すなわち、前記ズボン１の前記上生地１ｂと前記下生地１ｃとを離隔する方向へ前記ズボン１のウエスト部１ａに力がかかり、前記上生地１ｂの前記上生地部ボタン穴１ｄが前記ボタン６を一端側に引っ張ることとなる。
前記ボタン６が一端側に引かれると、前記ボタン６が取付けられている前記可動金具３も同時に一端側に引かれる。前記可動金具３は、前記バネ４の付勢力に抗して引かれることにより、一端側にスライド移動する。よって、前記可動金具３のスライドにより前記ボタン６が一端側に移動され、前記ズボン１のウエストサイズが増大される。これにより、前記ズボン１のウエストサイズが利用者のウエストサイズに適合するサイズに調節されることになる。
【００２９】
また、図９（ａ）乃至（ｃ）に示すように、前記ボタン掛止部３ａに取付けてある前記ボタン６を取り外すこともできる。前記ボタン６は、前記リング部６ａを前記ボタン掛止部３ａの前記開口部３ｇより嵌脱自在にして取り付けたものである。図９（ｂ）に示すように、前記ボタン６の前記リング部６ａを前記開口部３ｇより抜脱させることにより、図９（ｃ）のように、前記ボタン６は前記ボタン掛止部３ａより取り外すことができる。また、別のボタンを取り付ける際には、前記開口部３ｇより、別ボタンのリング部を押入させることで取り付けることができ、ボタンの交換が可能となる。これにより、利用者の好みに合わせてボタン部を交換可能とし、ズボン、スカート等のデザインのバリエーションを拡げることができるようになる。
【００３０】
また、前記可動金具３の前記ボタン掛止部３ａに取付けられている前記ボタン６は、前記ボタン６部の前記リング部６ａを介して取付けられている為、前記リング部６ａを支点として一定範囲内において前記ボタン６は可動することができる。これにより、利用者（着衣者）が着衣して、前記ボタン６を前記上生地１ｂの前記上生地部ボタン穴１ｄに掛ける際には、通常市販品のズボンのボタンを掛けるように、容易に嵌めることができるようになる。
【００３１】
本実施例によれば、ズボン、スカート等のウエストサイズの調節を可能とする調節金具において、利用者の好みに合わせて従来からあるリング部を備えたボタン部を交換可能とし、ズボン、スカート等のデザインのバリエーションを拡げることができる。また、ボタンは前記ボタン掛止部に可動自在に取付けられており、通常市販品のボタンを掛けるように、容易に嵌めることができるようになる。
また、樹脂板を有していることから、衣服への取り付け操作が容易に行えるようになるとともに、前記樹脂板はズボンのウエスト部に沿わすことができるようにしたものである為、ズボン等の着用時の着装感は損なわれることはない。
【００３２】
また、本実施例の前記本体ケース２は、図１０に示すように、次の仕様とすることもできる。
所定の板厚の金属板を折曲することにより形成され、上面部２ａ、側面部２ｂ及び端面部２ｃから成るケース状のものである。前記上面部２ａは中央部から前記端面部２ｃにかけて下方に緩やかな曲面を有するもので、中央部より前記端面部２ｃの一端面よりに所定の幅と長さを有する長孔２ｄが設けられている。また前記側面部２ｂは、側面底部２ｅと略台形の側面脚部２ｇを設けるよう切欠部２ｆ及び切欠部２ｈにより切欠されている。また、前記端面部２ｃは、前記側面底部２ｅと同位置により前記本体ケース２の長手方向に折曲され、形成された略楕円形状の縫着面部２ｍを有している。前記縫着面部２ｍには、前記本体ケース２の短手方向に沿って、二箇所の略楕円形状の縫着貫通穴２ｎが設けられている。また、前記端面部２ｃと前記縫着面部２ｍの折曲部の中央には、ベース５の脚部嵌合部５ａが嵌合する為の嵌合穴２ｏが設けられている。
【００３３】
このように形成された本実施例の別仕様における本体ケース２を用いた樹脂板付調節金具は、本実施例と同様にして組み立てられ、図１１に示すように、前記縫着貫通穴２ｎを使用し、縫着糸１５により前記樹脂板８に縫着される。この場合においても、前記樹脂板８に限らず、合板、金属板、厚手の生地及び堅い生地等も使用することができる。
【実施例２】
【００３４】
次に、本発明の調節金具７の実施例２における調節金具７ｂについて図１２乃至図２１に基づいて説明する。この実施例２おける発明は、実施例１と略同様の作用及び効果を有するが調節金具７の構造において相違する。
【００３５】
図１２に示すように、上部カバー１０は、所定の板厚の金属板を折曲することにより形成され、上面部１０ａ、側面部１０ｂ、端面部１０ｃ及びボタン掛止部１０ｅから成るケース状のものである。前記上面部１０ａは、中央部から前記端面部１０ｃと他端部にかけて下方に緩やかな曲面を有するもので、前記上面部１０ａのほぼ中央部に所定の幅と長さを有する長孔１０ｄが設けてある。前記長孔１０ｄにより抜き取られた金属板は、前記端面部１０ｃ側を基部として、前記端面部１０ｃ側へ折曲され、ボタン掛止部１０ｅを形成している。前記ボタン掛止部１０ｅは、後に取付けられるボタン６のリング部６ａが外れない程度に上に凸になるように、開口部１０ｈを有して略Ｕ字状等に折曲されていればよく、円弧状とすることもできるし、逆Ｖ字形状とすることもできる。前記側面部１０ｂは、前記上面部１０ａの長手方向より、垂直下方に所定の高さを有するよう折曲されている。また、前記側面部１０ｂの底辺は、中央部が上に凸になるように曲線とすることもできるし、直線とすることもできる。前記端面部１０ｃは、前記上面部１０ａの短手方向の中心部より垂直下方に所定の幅及び高さを有するよう折曲されている。
【００３６】
バネ１１は、所定の線形でバネ幅１１ａ、バネ長１１ｂ及びバネ高１１ｃから成り、外形が略直方体になるよう形成されている。
【００３７】
下部カバー１２は、所定の板厚の金属板を折曲することにより形成され、底部１２ａ、バネ持設部１２ｂ、側部１２ｃ、抜止部１２ｄ及び脚部１２ｅから成る。
前記底部１２ａは、中央部から両端部に設けてある前記脚部１２ｅにかけて、前記上部カバー１０の上面部１０ａと同様に下方に緩やかな曲面を有するもので、前記底部１２ａの一端部よりの中央部に所定の幅と長さを有するバネ持設部１２ｂが一端部を基部として、所定の高さを有するよう折曲して設けてある。このとき、前記底部１２ａの上面と前記バネ持設部の段差は、後に取付けられるバネ１１の線形より大きく設けてあればよく、幅は１１ａよりも小さく形成されていれば、前記バネ１１を取付けることができる。
前記側部１２ｃは、前記底部１２ａの長手方向の両端部より所定の寸法だけ内側へ入り込んだ位置から垂直上方へ折曲された後に、前記バネ持設部１２ｂの高さ位置を基準に前記底部１２ａの長手方向の外側へ所定の寸法を有するよう折曲され、形成されている。
前記抜止部１２ｄは、前記側部１２ｃにおいて前記バネ持設部１２ｂの基部を有する前記底部１２ａの一端部とは異なる前記端部１０ｃ側にのみ設けられるもので、前記側部１２ｃを垂直上方へ折曲させた高さと同等分を下方へ折曲させることにより、形成されている。
前記脚部１２ｅは、前記底部１２ａの両端部から所定の幅を有し、垂直下方へ向けて先端部が針状になるよう形成されている。
【００３８】
固定板１３は、図１３に示すように、所定の板厚の長方形の金属板から成り、前記上部カバー１０の上面部１０ａ及び前記下部カバー１２の前記底部１２ａと同様にして中央部から端部にかけて下方に緩やかな曲面を有するものである。また、両端部には前記固定板１３の短手方向の中心部に位置するよう、長方形の貫通穴１３ａが設けられている。このとき、前記貫通穴１３ａの長手方向は前記固定板１３の短手方向と平行になるよう位置し、前記貫通穴１３ａは前記下部カバー１２に設けられた前記脚部１２ｅが挿通される程度の大きさでよい。また、前記固定板１３の四隅には生地の損傷を防止する為、アール部を設けることが望ましい。
【００３９】
次に、実施例２における調節金具７ｂの組立方法の一例について説明する。
まず、前記下部カバー１２に設けられた前記バネ持設部１２ｂを前記バネ１１の一端部のバネ幅１１ａの内形に嵌設させる。この状態で、前記バネ持設部１２ｂに嵌設されていない前記バネ１１の他端部の上方に、前記上部カバー１０に設けられた前記ボタン掛止部１０ｅが位置するように配置した後、前記バネ１１の他端部を前記上部カバーの前記端面部１０ｃに内側で押縮させながら、前記下部カバー１２の前記側部１２ｃの外側に前記上部カバー１０の前記側面部１０ｂを位置させる。後に、前記上部カバー１０の前記側面部１０ｂを前記上部カバー１０の内側へ所定の寸法だけ折曲させ、底部１０ｆを形成することにより、前記実施例２における調節金具７ｂは組立てられる。このとき、前記バネ１１の付勢力により、前記上部カバー１０は外れる方向へスライド可能となるが、前記下部カバー１２に設けられた前記抜止部１２ｄが前記底部１０ｆと当接する為、前記上部カバー１０は外れることはない。
【００４０】
次に、図１３及び図１４に示すように、前記実施例２における調節金具７ｂはズボン等の生地を介して、前記固定板１３へと取付けられる。以下、簡便に説明する。
図１３及び図１４に示す前記ボタン６、前記実施例２における調整金具７ｂ、前記ズボン１の前記下生地１ｃの前記裏地１ｇ及び前記固定板１３において、前記下部カバー１２に設けられた先端部が針状の前記脚部１２ｅを前記ズボン１の前記下生地１ｃの前記裏地１ｇの所定の箇所に刺衝し、更に、前記下部カバー１２の前記底部１２ａの曲面と前記固定板１３の曲面を合わせた後、前記貫通穴１３ａに嵌め込むことによって取り付ける。後に、前記脚部１２ｅの根元より、それぞれ前記下部カバー１２の長手方向に対して前記下部カバー１２の内側に折曲させることで、前記下生地１ｃの前記裏地１ｇに取付けられる。後に、前記裏地１ｇと前記下生地の表地１ｆは逢着される。このとき、図１４に示すように、前記ボタン６のリング部６ａを前記実施例２における調整金具７ｂの前記ボタン掛止部１０ｅの前記開口部１０ｈより取付けることもできる。本実施例による着用時における作用は、実施例１における作用と同様のものである。
【００４１】
また、図１７（ａ）乃至（ｃ）に示すように、前記ボタン掛止部１０ｅに取付けてある前記ボタン６を取り外すこともできる。前記ボタン６は、前記リング部６ａを前記ボタン掛止部１０ｅの前記開口部１０ｈより嵌脱自在にして取り付けたものである。図１７（ｂ）に示すように、前記ボタン６の前記リング部６ａを前記開口部１０ｈより抜脱させることにより、図１７（ｃ）のように、前記ボタン６は前記ボタン掛止部１０ｅより取り外すことができる。また、別のボタンを取り付ける際には、前記開口部１０ｈより、別ボタンのリング部を押入させることで取り付けることができ、ボタンの交換が可能となる。これにより、利用者の好みに合わせてボタン部を交換可能とし、ズボン、スカート等のデザインのバリエーションを拡げることができるようになる。
【００４２】
また、前記上部カバー１０の前記ボタン掛止部１０ｅに取付けられている前記ボタン６は、前記ボタン６部の前記リング部６ａを介して取付けられている為、前記リング部６ａを支点として一定範囲内において前記ボタン６は可動することができる。これにより、利用者（着衣者）が着衣して、前記ボタン６を前記上生地１ｂの前記上生地部ボタン穴１ｄに掛ける際には、通常市販品のズボンのボタンを掛けるように、容易に嵌めることができるようになる。
【００４３】
本実施例によれば、ズボン、スカート等のウエストサイズの調節を可能とする調節金具において、利用者の好みに合わせて従来からあるリング部を備えたボタン部を交換可能とし、ズボン、スカート等のデザインのバリエーションを拡げることができるようになる。
また、前記固定板１３は前記実施例２における調節金具７ｂの裏側より、当て板の役割をするように取付けてあり、前記ズボン１の前記ウエスト部１ａに沿わすことができるようにしたものであって、前記ズボン１の着装感は損なわれることはない。
【００４４】
また、本実施例の前記下部カバー１２は、図１８に示すように、次の仕様とすることもできる。
下部カバー１２は、所定の板厚の金属板を折曲することにより形成され、底部１２ａ、バネ持設部１２ｂ、側部１２ｃ、抜止部１２ｄ及び縫着面部１２ｆから成る。
前記底部１２ａは、中央部から両端部に設けてある前記縫着面部１２ｆにかけて、前記上部カバー１０の上面部１０ａと同様に下方に緩やかな曲面を有するもので、前記底部１２ａの一端部よりの中央部に所定の幅と長さを有するバネ持設部１２ｂが一端部を基部として、所定の高さを有するよう折曲して設けてある。このとき、前記底部１２ａの上面と前記バネ持設部の段差は、後に取付けられるバネ１１の線形より大きく設けてあればよく、幅は１１ａよりも小さく形成されていれば、前記バネ１１を取付けることができる。
前記側部１２ｃは、前記底部１２ａの前記縫着面部１２ｆより所定の寸法だけ内側へ入り込んだ位置から垂直上方へ折曲された後に、前記バネ持設部１２ｂの高さ位置を基準に前記底部１２ａの長手方向の外側へ所定の寸法を有するよう折曲され、形成されている。
前記抜止部１２ｄは、前記側部１２ｃにおいて前記バネ持設部１２ｂの基部を有する前記底部１２ａの一端部とは異なる前記端部１０ｃ側にのみ設けられるもので、前記側部１２ｃを垂直上方へ折曲させた高さと同等分を下方へ折曲させることにより、形成されている。
前記縫着面部１２ｆは、前記底部１２ａの両端部に形成され、略楕円形状からなり、前記縫着面部１２ｆには、前記下部カバー１２の短手方向に沿って、二箇所の略楕円形状の縫着貫通穴１２ｇが設けられている。
【００４５】
このように形成された本実施例の別仕様における下部カバー１２を用いた調節金具は、本実施例と同様にして組み立てられ、図１９に示すように、前記縫着貫通穴１２ｇを使用し、縫着糸１５により前記下生地１ｃの前記裏地１ｇに縫着される。
【００４６】
また、本実施例における前記上部カバー１０の前記ボタン掛止部１０ｅの位置は、図２０に示すように、前記長孔１０ｄにより抜き取られた金属板を、前記上部カバーの他端部側へ折曲させ、前記ボタン掛止部１０ｅを形成することもできる。また、前記ボタン掛止部１０ｅは、後に取付けられるボタン６のリング部６ａが外れない程度に上に凸になるよう、前記開口部１０ｈを有して略Ｕ字状等に折曲されていればよく、円弧状とすることもできるし、逆Ｖ字形状とすることもできる。
【００４７】
また、図２０に示すように、本実施例における前記上部カバー１０の前記ボタン掛止部１０ｅの位置を変更した調節金具においても、図２１に示すように、本実施例の別仕様における下部カバー１２を用いた調節金具とすることができる。
【００４８】
また、ウエストサイズを調節する際に、前記実施例１における調節金具７ａの前記可動金具３における前記ボタン掛止部３ａ及び前記実施例２における調節金具７ｂの前記上部カバー１０における前記ボタン掛止部１０ｅが、前記ズボン１における前記下生地１ｃの前記下生地部ボタン穴１ｅ等との摩擦により、生地が損傷するおそれがある。
生地の損傷を防止することを目的として、図２２（ａ）に示すように、実施例１における前記ボタン掛止部３ａ及び図２２（ｂ）に示すように、実施例２における前記ボタン掛止部１０ｅと前記下生地部ボタン穴１ｅ等が摩擦する箇所に、軟質系の樹脂、テープ等を被覆して、実施例１における樹脂被覆ボタン掛止部３ｆ及び実施例２における樹脂被覆ボタン掛止部１０ｇとすることができる。また、軟質系の樹脂等に限らず、生地の損傷を防止することができるものであればよいものとする。
【００４９】
また、前記実施例１においては、実施例１における調節金具７ａを前記樹脂板８等に取り付けずに、前記実施例２のごとく、前記ズボン１における前記下生地１ｃの前記裏地１ｇに取り付けることもできる。
一方、前記実施例２においては、前記実施例１のごとく、実施例２における調節金具７ｂを前記樹脂板８等に取付けた後、前記ズボン１に取付けることもできる。
また、前記調節金具７の前記ズボン１への取り付け方法においても、カシメ、糸付け及びホットメルト接着剤を用いる等、多種に亘るものであり、限定されるものではない。
【００５０】
また、実施例１における調節金具７ａにおける構成部品（バネ４を除く）及び実施例２における調節金具７ｂにおける構成部品（バネ１１を除く）においては、金属を用いずに樹脂を用いることもできる。
【００５１】
また、本願発明は上記実施例に限られず、各種のズボン、スカート等のウエスト部を有する衣服においても採用することができるものである。
【図面の簡単な説明】
【００５２】
【図１】本発明の実施例１及び２における調節金具をズボンへ取り付けた際の部分説明図である。
【図２】本発明の実施例１における調節金具の各部品の斜視図である。
【図３】本発明の実施例１における調節金具の部品である本体ケースの（ａ）側面図、及び（ｂ）正面図である。
【図４】本発明の実施例１における調節金具、ボタン及び樹脂板の斜視図である。
【図５】本発明の実施例１における樹脂板付調節金具の斜視図である。
【図６】本発明の実施例１における樹脂板付調節金具の（ａ）正面図、及び（ｂ）底面図である。
【図７】本発明の実施例１における樹脂板付調節金具の（ａ）正面垂直断面図、及び（ｂ）ボタン掛止部に樹脂を被覆させた時の正面垂直断面図である。
【図８】本発明の実施例１における樹脂板付調節金具をズボンへ取り付ける際、ズボンの裏側から見た部分図であり、（ａ）樹脂板付調節金具装着前図、及び（ｂ）樹脂板付調節金具装着後図である。
【図９】本発明の実施例１における樹脂板付調節金具の（ａ）ボタン装着時部分図、（ｂ）ボタン脱着途中部分図、及び（ｃ）ボタン脱着後部分図である。
【図１０】本発明の実施例１における別仕様の調節金具の各部品の斜視図である。
【図１１】本発明の実施例１における別仕様の樹脂板付調節金具の斜視図である。
【図１２】本発明の実施例２における調節金具の各部品の斜視図である。
【図１３】本発明の実施例２における調節金具、ボタン、ズボンの生地の裏地及び固定板の斜視図である。
【図１４】本発明の実施例２における固定板付調節金具の斜視図である。
【図１５】本発明の実施例２における固定板付調節金具の（ａ）正面図、及び（ｂ）底面図である。
【図１６】本発明の実施例２における固定板付調節金具の（ａ）正面断面図、及び（ｂ）ボタン掛止部に樹脂を被覆させた時の正面断面図である。
【図１７】本発明の実施例２における固定板付調節金具の（ａ）ボタン装着時部分図、（ｂ）ボタン脱着途中部分図、及び（ｃ）ボタン脱着後部分図である。
【図１８】本発明の実施例２における別仕様の調節金具の各部品の斜視図である。
【図１９】本発明の実施例２における別仕様の調節金具の斜視図である。
【図２０】本発明の実施例２におけるボタン掛止部位置を別にした時の固定板付調節金具の斜視図である。
【図２１】本発明の実施例２におけるボタン掛止部位置を別にした時の別仕様の調節金具の斜視図である。
【図２２】本発明の（ａ）実施例１における樹脂板付調節金具の樹脂被覆ボタン掛止部拡大断面図、及び（ｂ）実施例２における固定板付調節金具の樹脂被覆ボタン掛止部拡大断面図である。
【符号の説明】
【００５３】
１    ズボン
１ａ  ウエスト部
１ｂ  上生地
１ｃ  下生地
１ｄ  上生地部ボタン穴
１ｅ  下生地部ボタン穴
１ｆ  表地
１ｇ  裏地
２    本体ケース
２ａ  上面部
２ｂ  側面部
２ｃ  端面部
２ｄ  長孔
２ｅ  底部
２ｆ  切欠部
２ｇ  側面脚部
２ｈ  切欠部
２ｉ  端面直線部
２ｊ  端面脚部
２ｋ  端面底部
２ｌ  溝部
２ｍ  縫着面部
２ｎ  縫着貫通穴
２ｏ  嵌合穴
３    可動金具
３ａ  ボタン掛止部
３ｂ  バネ持設部
３ｃ  側面部
３ｄ  上面部
３ｅ  端面部
３ｆ  樹脂被覆ボタン掛止部
３ｇ  開口部
４    バネ
４ａ  バネ幅
４ｂ  バネ長
４ｃ  バネ高
５    ベース
５ａ  脚部嵌合部
５ｂ  底部嵌合部
５ｃ  切欠嵌合部
５ｄ  側面脚部嵌合部
５ｅ  リブ
６    ボタン
６ａ  リング部
７    調節金具
７ａ  実施例１における調節金具
７ｂ  実施例２における調節金具
８    樹脂板
９    樹脂板付調節金具
１０  上部カバー
１０ａ  上面部
１０ｂ  側面部
１０ｃ  端面部
１０ｄ  長孔
１０ｅ  ボタン掛止部
１０ｆ  底部
１０ｇ  樹脂被覆ボタン掛止部
１０ｈ  開口部
１１    バネ
１１ａ  バネ幅
１１ｂ  バネ長
１１ｃ  バネ高
１２    下部カバー
１２ａ  底部
１２ｂ  バネ持設部
１２ｃ  側部
１２ｄ  抜止部
１２ｅ  脚部
１２ｆ  縫着面部
１２ｇ  縫着貫通穴
１３    固定板
１３ａ  貫通穴
１４    固定板付調節金具
１５    縫着糸
【図１】
2008038272.tif 000003
【図２】
2008038272.tif 000004
【図３】
2008038272.tif 000005
【図４】
2008038272.tif 000006
【図５】
2008038272.tif 000007
【図６】
2008038272.tif 000008
【図７】
2008038272.tif 000009
【図８】
2008038272.tif 000010
【図９】
2008038272.tif 000011
【図１０】
2008038272.tif 000012
【図１１】
2008038272.tif 000013
【図１２】
2008038272.tif 000014
【図１３】
2008038272.tif 000015
【図１４】
2008038272.tif 000016
【図１５】
2008038272.tif 000017
【図１６】
2008038272.tif 000018
【図１７】
2008038272.tif 000019
【図１８】
2008038272.tif 000020
【図１９】
2008038272.tif 000021
【図２０】
2008038272.tif 000022
【図２１】
2008038272.tif 000023
【図２２】
2008038272.tif 000024